(57)【要約】【課題】  ライニングを早期に交換する必要がないことは勿論、動作確認に伴うロープへのダメージを軽減することができること。【解決手段】  本発明のエレベーターのロープブレーキ装置は、上記課題を解決するために、巻上機のシーブとプーリーに巻き掛けられて、一端部側に乗りかごが吊持されると共に、他端部側につり合いおもりが吊持されたロープを拘束保持できる位置に配置され、対となって配置されるブレーキ部と、制動時に消勢又は付勢され、前記ブレーキ部で前記ロープの一部を挟んで拘束保持させる駆動部とを備えたエレベーターのロープブレーキ装置において、前記ロープブレーキ装置の動作確認時に、前記駆動部へ供給する電圧を徐々に減衰又は増幅させ、前記ブレーキ部による前記ロープの拘束保持を緩徐に制御する制御装置を備えていることを特徴とする。【選択図】図２
2017145067.tif 000002
【特許請求の範囲】
【請求項１】
巻上機のシーブとプーリーに巻き掛けられて、一端部側に乗りかごが吊持されると共に、他端部側につり合いおもりが吊持されたロープを拘束保持できる位置に配置され、対となって配置されるブレーキ部と、制動時に消勢又は付勢され、前記ブレーキ部で前記ロープの一部を挟んで拘束保持させる駆動部とを備えたエレベーターのロープブレーキ装置において、
前記ロープブレーキ装置の動作確認時に、前記駆動部へ供給する電圧を徐々に減衰又は増幅させ、前記ブレーキ部による前記ロープの拘束保持を緩徐に制御する制御装置を備えていることを特徴とするエレベーターのロープブレーキ装置。
【請求項２】
前記ブレーキ部は、可動ライニングと該可動ライニングを片面に取り付けた可動シュー及び固定ライニングと該固定ライニングを片面に取り付けた固定シューから成り、前記駆動部は、前記可動シューを前記固定シューに向けて押圧する押圧部材の押圧力に抗して前記可動シューを前記固定シューから離れる位置に保持するソレノイドから成り、しかも、前記ロープブレーキ装置の動作確認時には、前記制御装置により、前記ソレノイドに供給する電圧を徐々に減衰又は増幅させ、前記可動ライニング及び前記固定ライニングによる前記ロープの拘束保持を緩徐に制御することを特徴とする請求項１に記載のエレベーターのロープブレーキ装置。
【請求項３】
前記固定シューの中央部には前記ソレノイドのプランジャーが取り付けられ、該プランジャーの駆動シャフトは、前記固定シューと前記固定ライニング及び前記可動ライニングを貫通して前記可動シューに連結されていることを特徴とする請求項２に記載のエレベーターのロープブレーキ装置。
【請求項４】
前記固定ライニングを片面に取り付けた前記固定シューの端部が、マシンビームの上部に設けられたロープブレーキ固定部に取り付けられていると共に、前記可動ライニングを片面に取り付けた前記可動シューが、前記可動ライニングと前記固定ライニングが対向するように前記固定シューに対して取り付けられていることを特徴とする請求項２又は３に記載のエレベーターのロープブレーキ装置。
【請求項５】
前記可動シューは前記可動ライニングよりも広い面積を有し、かつ、前記可動シューの前記可動ライニングよりも外側に、棒状のガイド部が前記可動シューから立設されていることを特徴とする請求項４に記載のエレベーターのロープブレーキ装置。
【請求項６】
前記固定シューは前記固定ライニングよりも広い面積を有し、かつ、前記固定シューの前記固定ライニングよりも外側に貫通孔が形成されていると共に、前記ガイド部の先端部を前記貫通孔にクリアランスを持って挿入することにより、前記固定シューに対して前記可動シューが移動可能に保持されることを特徴とする請求項５に記載のエレベーターのロープブレーキ装置。
【請求項７】
前記ガイド部の先端部と前記固定シューの間には、コイルばねが圧縮された状態で介在されていることを特徴とする請求項６に記載のエレベーターのロープブレーキ装置。
【請求項８】
前記ロープブレーキ装置は、通常時には、前記ソレノイドの前記プランジャーは、前記可動ライニングを前記ロープ及び前記固定ライニングから遠ざける方向に前記コイルばねの復元力に抗して押し出され、それにより、前記可動ライニングと前記ロープ及び前記固定ライニングはそれぞれ非接触の状態に維持され、かつ、異常時には、前記制御装置からの異常信号の入力に基づいて、前記ソレノイドへの通電が遮断され、それにより、前記ガイド部は前記コイルばねの復元力により、前記固定シューの貫通孔に向けて瞬間的に引き込まれ、この引き込み動作により、前記可動シューと前記可動ライニングは前記ロープと前記固定ライニングに近付く方向に引き寄せられ、その結果、前記可動ライニングと前記固定ライニングとで前記ロープを挟んで拘束保持し、前記乗りかごの移動が阻止されることを特徴とする請求項７に記載のエレベーターのロープブレーキ装置。
【請求項９】
前記ロープブレーキ装置は、点検時には、エレベーターを予め定められた点検用運転モードである前記ソレノイドに供給する電圧を徐々に減衰又は増幅させるように設定し、前記制御装置は、前記エレベーターの点検用運転モードに沿って前記ソレノイドに供給する電圧を徐々に減衰又は増幅させ、これに応じて前記ガイド部は前記コイルばねの復元力により、前記固定シューの貫通孔に向けて徐々に引き込まれ、これにより、前記可動シューと前記可動ライニングは前記ロープと前記固定ライニングに近付く方向に引き寄せられることで、前記可動ライニング及び前記固定ライニングによる前記ロープの拘束保持を緩徐に行うことを特徴とする請求項７又は８に記載のエレベーターのロープブレーキ装置。
【発明の詳細な説明】
【技術分野】
【０００１】
本発明はエレベーターのロープブレーキ装置に係り、特に、乗りかごを昇降するロープに制動をかけるものに好適なエレベーターのロープブレーキ装置に関する。
【背景技術】
【０００２】
エレベーターの制動装置には、何れかを制動対象とするかに応じて種々の形式のブレーキ装置があり、その中の１つに乗りかごを昇降するロープに制動をかけるロープブレーキ装置がある。
【０００３】
ロープブレーキ装置は、一般に、シーブとプーリーの間に渡されたロープを拘束保持できる位置に配置され、対となって配置されるライニングと、制動時に消勢又は付勢され、ライニングでロープを挟んで拘束保持させるソレノイドとを有している。
【０００４】
ロープブレーキ装置の非制動時には、ライニングとロープは非接触の状態に保たれている。一方、例えば、何らかの要因で乗りかご戸及び乗場戸が開いている状態で乗りかごが移動、即ち、走行した時ソレノイドを消勢又は付勢し、ライニングでロープを挟んで拘束保持させ、制動するようになっている（特許文献１参照）。
【先行技術文献】
【特許文献】
【０００５】
【特許文献１】特開２００５−２８９６２３号公報
【発明の概要】
【発明が解決しようとする課題】
【０００６】
ところで、ロープブレーキ装置は、固渋や動作抵抗、配線の不備等がないことを確認するため、高頻度に動作確認を行う必要がある。
【０００７】
しかしながら、上記した従来技術では、ロープブレーキ装置の動作確認を行うことで、通常のかご制動時と同様、ロープを強い力で、かつ、急速に挟持するため、ロープブレーキ装置に取り付けられたライニングの摩耗速度の増加により、ライニングを早期に交換する必要が発生したり、ロープにダメージを与えるという課題があった。
【０００８】
本発明は上述の点に鑑みなされたもので、その目的とするところは、ライニングを早期に交換する必要がないことは勿論、動作確認に伴うロープへのダメージを軽減することができるエレベーターのロープブレーキ装置を提供することにある。
【課題を解決するための手段】
【０００９】
本発明のエレベーターのロープブレーキ装置は、上記目的を達成するために、巻上機のシーブとプーリーに巻き掛けられて、一端部側に乗りかごが吊持されると共に、他端部側につり合いおもりが吊持されたロープを拘束保持できる位置に配置され、対となって配置されるブレーキ部と、制動時に消勢又は付勢され、前記ブレーキ部で前記ロープの一部を挟んで拘束保持させる駆動部とを備えたエレベーターのロープブレーキ装置において、前記ロープブレーキ装置の動作確認時に、前記駆動部へ供給する電圧を徐々に減衰又は増幅させ、前記ブレーキ部による前記ロープの拘束保持を緩徐に制御する制御装置を備えていることを特徴とする。
【発明の効果】
【００１０】
本発明によれば、ライニングを早期に交換する必要がないことは勿論、動作確認に伴うロープへのダメージを軽減することができる。
【図面の簡単な説明】
【００１１】
【図１】本発明のエレベーターのロープブレーキ装置の実施例１が採用されるエレベーターの概略構成図である。
【図２】本発明のエレベーターのロープブレーキ装置の実施例１を示す正面図である。
【発明を実施するための形態】
【００１２】
以下、図示した実施例に基づいて本発明のエレベーターのロープブレーキ装置を説明する。なお、各図において、同一構成部品には同符号を使用する。
【実施例１】
【００１３】
図１に、本発明のエレベーターのロープブレーキ装置の実施例１が採用されるエレベーターの概略構成を示す。
【００１４】
該図に示す如く、エレベーターは、シーブ１とプーリー２に巻き掛けられたロープ３を有し、このロープ３の一端部側には乗りかご４が吊持され、ロープ３の他端部側には、つり合いおもり５が吊持されている。
【００１５】
また、エレベーターには、シーブ１とプーリー２の間に架け渡されたロープ３の部分を拘束保持できる位置にロープブレーキ装置６が配置され、ロープブレーキ装置６の下端部は、マシンビーム７の上部に設けられたロープブレーキ固定部８に取り付けられている。
【００１６】
次に、このロープブレーキ装置６の構成について、主に図２を用いて説明する。図２は、本発明のエレベーターのロープブレーキ装置の実施例１を示すものである。
【００１７】
該図に示す如く、本実施例のロープブレーキ装置６は、例えば、図示しない乗りかご戸及び乗場戸が開いている状態で乗りかご４が移動、即ち、走行したときにロープ３を拘束保持する機能を有し、ロープ３を拘束保持する位置に、可動ライニング９と固定ライニング１０とを対向するように配置したブレーキ部１１と、可動ライニング９を取り付けた可動シュー１２を非常制動時に移動させる駆動部、即ち、ソレノイド１３を備えている。なお、可動ライニング９と固定ライニング１０とは、略同じ面積を有している。
【００１８】
また、ロープブレーキ装置６は、固定ライニング１０に対して可動ライニング９を移動可能に保持する必要がある。そのため、固定ライニング１０を片面に取り付けた固定シュー１４の端部をロープブレーキ固定部８に固定し、一方、可動ライニング９を可動シュー１２の片面に取り付け、その可動ライニング９が固定ライニング１０と対向するように、可動シュー１２を固定シュー１４に対して配置している。
【００１９】
なお、ブレーキ部１１は、可動ライニング９、固定ライニング１０、可動シュー１２及び固定シュー１４からなっている。
【００２０】
また、可動シュー１２は可動ライニング９よりも広い面積を有しており、可動シュー１２の可動ライニング９よりも外側に、棒状のガイド部１５ａ、１５ｂが可動シュー１２から立設されている。
【００２１】
一方、固定シュー１４は固定ライニング１０よりも広い面積を有しており、固定シュー１４の固定ライニング１０よりも外側に、貫通孔１６ａ、１６ｂが形成されている。可動シュー１２の各ガイド部１５ａ、１５ｂの先端部を、固定シュー１４に形成された各貫通孔１６ａ、１６ｂにクリアランスを持って挿入することにより、固定シュー１４に対して可動シュー１２が移動可能に保持されている。
【００２２】
ガイド部１５ａ、１５ｂの先端部と固定シュー１４の間には、コイルばね１７ａ、１７ｂが圧縮された状態でそれぞれ介在されており、このガイド部１５ａ、１５ｂとコイルばね１７ａ、１７ｂで押圧部材を構成している。
【００２３】
固定シュー１４の中央部にはソレノイド１３のプランジャー１８が取り付けられており、プランジャー１８の駆動シャフト１９は、固定シュー１４と固定ライニング１０及び可動ライニング９を貫通して可動シュー１２に連結されている。
【００２４】
このように構成されるロープブレーキ装置６では、通常時、ソレノイド１３のプランジャー１８は、可動シュー１２に設けられている可動ライニング９をロープ３及び固定ライニング１０から遠ざける方向に、コイルばね１７ａ、１７ｂの復元力に抗して押し出されており、その結果、可動ライニング９とロープ３と固定ライニング１０は、それぞれ非接触の状態に維持されている。
【００２５】
一方、何らかの異常原因により、乗りかご戸及び乗場戸が開いている状態で乗りかご４が移動、即ち、走行した場合には、エレベーターに設けられている制御装置２０からの異常信号の入力に基づいて、ソレノイド１３への通電が遮断される。その結果、ガイド部１５ａ、１５ｂはコイルばね１７ａ、１７ｂの復元力により、固定シュー１４の貫通孔１６ａ、１６ｂに向けて瞬間的に引き込まれる。
【００２６】
この引き込み動作により、可動シュー１２と可動ライニング９は、ロープ３と固定ライニング１０に近付く方向に引き寄せられ、その結果、可動ライニング９と固定ライニング１０とでロープ３を挟んで拘束保持し、乗りかご４の移動が阻止される。
【００２７】
なお、本実施例のロープブレーキ装置６は、前述したように制動時に、ソレノイド１３を消勢し、可動ライニング９及び固定ライニング１０によりロープ３を拘束保持するものであるが、制動時に、ソレノイド１３を付勢し、可動ライニング９及び固定ライニング１０によりロープ３を拘束保持する構造のロープブレーキ装置にも適用できる。
【００２８】
ところで、ロープブレーキ装置６は、固渋や動作抵抗、配線の不備等がないことを確認するため、高頻度に動作確認（異常時に正しくブレーキ動作しているかを確認すること）を行う必要がある。
【００２９】
本実施例では、点検時に、例えば、エレベーターを予め定められる点検用運転モードであるソレノイド１３に供給する電圧を徐々に減衰又は増幅させるように設定し、制御装置２０は、エレベーターの点検用運転モードに沿ってソレノイド１３に供給する電圧を徐々に減衰又は増幅させるように制御している。
【００３０】
これに応じてガイド部１５ａ、１５ｂはコイルばね１７ａ、１７ｂの復元力により、固定シュー１４の貫通孔１６ａ、１６ｂに向けて徐々に引き込まれ、可動シュー１２と可動ライニング９は、ロープ３と固定ライニング１０に近付く方向に引き寄せられる。
【００３１】
このように点検時には、制御装置２０で可動ライニング９及び固定ライニング１０によるロープ３の拘束保持を緩徐に行い、ロープブレーキ装置６に固渋や動作抵抗、配線の不備等がないことを確認する。
【００３２】
本実施例によれば、動作確認時（異常時に正しくブレーキ動作しているかを確認する時）に、制御装置２０でソレノイド１３に供給する電圧を徐々に減衰又は増幅させ、可動ライニング９及び固定ライニング１０によるロープ３の拘束保持を緩徐に行うように制御することにより、動作確認に伴う可動ライニング９、固定ライニング１０やロープ３へのダメージを軽減し、延命化を図ることができるので、可動及び固定ライニング９及び１０を早期に交換する必要がないことは勿論、動作確認に伴うロープ３へのダメージを軽減することができる効果がある。
【００３３】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００３４】
１…シーブ、２…プーリー、３…ロープ、４…乗りかご、５…つり合いおもり、６…ロープブレーキ装置、７…マシンビーム、８…ロープブレーキ固定部、９…可動ライニング、１０…固定ライニング、１１…ブレーキ部、１２…可動シュー、１３…ソレノイド、１４…固定シュー、１５ａ、１５ｂ…ガイド部、１６ａ、１６ｂ…貫通孔、１７ａ、１７ｂ…コイルばね、１８…プランジャー、１９…駆動シャフト、２０…制御装置。
【図１】
2017145067.tif 000003
【図２】
2017145067.tif 000004